(57)【要約】【課題】本発明の課題は、簡単な構成であり安価に構成でき、かつ、固定がしっかりしていて、挿管の径のサイズにも自由に対応する挿管ホルダを提供することである。【解決手段】本発明において、挿管ホルダは、顔面等の面に当てる面基板と挿管を載せる載置台と固定用帯と頭部や首に固定するための結び手段を備え、面基板は、挿管状態で挿管の通過が可能なように面基板の端に開いた開口溝を備え、載置台は、開口から挿管を入れた場合に挿管が台面上に乗るように面基板に固定され、固定用帯は、挿管を載置台に固定するべく巻きつけるもので、挿管の長さ方向に幅を持つ帯である構成とされる。【選択図】図１
2017079894.tif 000002
【特許請求の範囲】
【請求項１】
患者の身体に挿入する挿管を前記患者の挿入部の身体に固定するものであり、前記挿入部の身体の面に当てる面基板と、前記挿管を載せる載置台と、固定用帯と、前記面基板を前記患者の身体に固定するための結び手段と、を備え、
前記面基板は、前記挿入部の開口を覆い隠す幅と長さを持つ板又はフレーム体で、少なくとも、前記挿管の通過が可能なように前記面基板の周囲端に開いた開口溝を有し、前記面基板の端に、前記結び手段を付設する結び手段結合部を有し、
前記載置台は、載せられる前記挿管の長さ方向に長さがあり、前記挿管を載せる台であって、前記開口溝の開いた前記周囲端とは反対の内側におかれ、前記開口溝に前記挿管を入れた場合に前記挿管が前記載置台の台面上に乗るように、前記面基板に取りついており、
前記固定用帯は、前記載置台に乗った前記挿管を前記載置台との間で固定するべく巻きつけるもので、前記挿管の長さ方向に幅を持つ帯であり、
前記結び手段は、前記結び手段結合部に取り付けられるものであって、前記面基板を前記患者の身体に固定するために、前記患者の身体に固定されるものであることを特徴とする挿管ホルダ。
【請求項２】
前記載置台は、前記挿管を載せた場合に、前記挿管の長さ方向に前記挿管が嵌る凹溝を備えたことを特徴とする請求項１記載の挿管ホルダ。
【請求項３】
前記載置台は、前記挿管が載さられる前記載置台の前記台に前記挿管が滑らないための第一の滑止部材を備えたことを特徴とする請求項１又は請求項２記載の挿管ホルダ。
【請求項４】
前記固定用帯は、載せられた前記挿管と前記載置台とを巻きつけて固定する接着テープであることを特徴とする請求項１から請求項３のいずれか１つに記載の挿管ホルダ。
【請求項５】
前記固定用帯は、載せられた前記挿管と前記載置台とを巻きつけて固定する結束バンドであることを特徴とする請求項１から請求項３のいずれか１つに記載の挿管ホルダ。
【請求項６】
前記結束バンドの前記挿管が当接する部分に前記挿管が滑らないための第二の滑止部材を備えたことを特徴とする請求項５記載の挿管ホルダ。
【請求項７】
前記面基板は、前記面基板の前記載置台を取り付けた部分が、前記身体の面との間で空間を作るべく、前記身体の面から飛び出した形状であることを特徴とする請求項１から請求項６のいずれか１つに記載の挿管ホルダ。
【請求項８】
前記面基板は、前記面基板の板面の表裏を貫く穴を備えることを特徴とする請求項１から請求項７のいずれか１つに記載の挿管ホルダ。
【請求項９】
前記面基板は、板面の表裏を貫く穴の面積が大きくなるように、フレーム（枠）構成であることを特徴とする請求項１から請求項７のいずれか１つに記載の挿管ホルダ。
【請求項１０】
前記面基板は、バイトブロックを取り付けるためのバイトブロック取付け穴を備えたことを特徴とする請求項１から請求項９のいずれか１つに記載の挿管ホルダ。
【請求項１１】
前記面基板は、前記患者の身体に当たる側に、前記挿管が配置される位置の上下にバイトブロックとして使用する突起であるバイトブロック突起を備えたことを特徴とする請求項１から請求項９のいずれか１つに記載の挿管ホルダ。
【請求項１２】
前記面基板は、透明な材料で構成されたことを特徴とする請求項１から請求項１１のいずれか１つに記載の挿管ホルダ。
【請求項１３】
前記面基板は、前記患者の身体に当たる側に、クッション材を備えたことを特徴とする請求項１から請求項１２のいずれか１つに記載の挿管ホルダ。
【発明の詳細な説明】
【技術分野】
【０００１】
本発明は、医療・介護で使用される気管等の挿管を顔面又は首に保持するホルダに関するものである。
【背景技術】
【０００２】
従来の提案を図５に示す。
特許文献１では、図５の５−Ａに示すもので、商品名トーマスホルダとして市販されている。Ｖ字溝５０３に医療用の挿管を通して、ネジ５０１を回転することでネジ先端５０２の部分とＶ字溝５０３で挿管を押しつけて固定する。ネジを回転する操作が面倒であり、このような構造は、複雑なので安価に構成できない不都合がある。特許文献２では、図５の５−Ｂに示すもので、挿管の保持のための凹み基体５０４に対して、差込押さえ５０５があり、差込押さえ５０５は二つの腕があり、その腕には、凹み基体５０４のあるギザギザの凹凸と噛み合うギザギザの凹凸がある。そのため、差込押さえ５０５の挿入し押し付ける状態を調整できる。この構成は、複雑な構成にあり、安価にできない。上記の２提案は、安価に出来なため、使い捨てをする医療用の器具としては不都合である。
これに対して、安価にできるものとして、５−Ｃに示すものが、全国消防協会  平成１９年度  消防に関する論文・機器の研究作品集の機器の部に「気管挿管専用固定器具等の改良について」として、紹介されている。前２者が複雑な構成であるのに対して、挿管の押さえ部として、Ｖ字のアーム５０６に円盤５０７が付いたものが付いている構成である。挿管は、アーム５０６と円盤５０７の間の空間に挿入され挟まれる。挿管を二つの円盤の間を開く（アーム５０６が開く）ようにこじいれ、入ると、円盤５０７が閉まって保持される。簡単な構成なので、安価にできる。しかしながら、この構成には、二つの不都合がある。挿管は、アーム５０６と円盤５０７の側面に保持されるが、両者とも厚みが薄いたい。特にアーム５０６は、太く作ると、挿管をいれるときに変形が容易でなくなる。従って、保持部が薄い部分的接触なので、容易に挿管が上下左右に回転や押し引き方向のずれが起こり易く、確実な固定ができない。そして、挿管の径が異なるものには対応できないのも不都合となる。大きな径ではきつくなり、小さいとゆるくなり、締めつけの調整ができないためである。以上のように、５−Ｃのような簡単な構成であり安価に構成でき、かつ、固定がしっかりしていて、挿管の径のサイズにも自由に対応するものが要望されていた。
【先行技術文献】
【特許文献】
【０００３】
【特許文献１】特許第３６４１２７３号
【特許文献２】特表２００６−５０９５５８
【発明の概要】
【発明が解決しようとする課題】
【０００４】
本発明の課題は、簡単な構成であり安価に構成でき、かつ、固定がしっかりしていて、挿管の径のサイズにも自由に対応する挿管ホルダを提供することである。
【課題を解決するための手段】
【０００５】
本発明にかかる挿管ホルダは、顔面等の面に当てる面基板と挿管を載せる載置台と固定用帯と頭部や首に固定するための結び手段を備え、面基板は、挿管状態で挿管の通過が可能なように面基板の端に開いた開口溝を備え、載置台は、開口溝に挿管を入れた場合に挿管が台面上に乗るように面基板に固定され、固定用帯は、挿管を載置台に固定するべく巻きつけるもので、挿管の長さ方向に幅を持つ帯である構成とされる。
以下、請求項に沿って記述する。
【０００６】
請求項１記載の発明は、挿管ホルダであって、
患者の身体に挿入する挿管を前記患者の挿入部の身体に固定するものであり、前記挿入部の身体の面に当てる面基板と、前記挿管を載せる載置台と、固定用帯と、前記面基板を前記患者の身体に固定するための結び手段と、を備え、
前記面基板は、前記挿入部の開口を覆い隠す幅と長さを持つ板又はフレーム体で、少なくとも、前記挿管の通過が可能なように前記面基板の周囲端に開いた開口溝を有し、前記面基板の端に、前記結び手段を付設する結び手段結合部を有し、
前記載置台は、載せられる前記挿管の長さ方向に長さがあり、前記挿管を載せる台であって、前記開口溝の開いた前記周囲端とは反対の内側におかれ、前記開口溝に前記挿管を入れた場合に前記挿管が前記載置台の台面上に乗るように、前記面基板に取りついており、
前記固定用帯は、前記載置台に乗った前記挿管を前記載置台との間で固定するべく巻きつけるもので、前記挿管の長さ方向に幅を持つ帯であり、
前記結び手段は、前記結び手段結合部に取り付けられるものであって、前記面基板を前記患者の身体に固定するために、前記患者の身体に固定されるものであることを特徴とする。
【０００７】
請求項２記載の発明は、請求項１記載の挿管ホルダにおいて、
前記載置台は、前記挿管を載せた場合に、前記挿管の長さ方向に前記挿管が嵌る凹溝を備えたことを特徴とする。
【０００８】
請求項３記載の発明は、請求項１又は請求項２記載の挿管ホルダにおいて、
前記載置台は、前記挿管が載さられる前記載置台の前記台に前記挿管が滑らないための第一の滑止部材を備えたことを特徴とする。
【０００９】
請求項４記載の発明は、請求項１から請求項３のいずれか１つに記載の挿管ホルダにおいて、前記固定用帯は、載せられた前記挿管と前記載置台とを巻きつけて固定する接着テープであることを特徴とする。
【００１０】
請求項５記載の発明は、請求項１から請求項３のいずれか１つに記載の挿管ホルダにおいて、前記固定用帯は、載せられた前記挿管と前記載置台とを巻きつけて固定する結束バンドであることを特徴とする。
【００１１】
請求項６記載の発明は、請求項５記載の挿管ホルダにおいて、
前記結束バンドの前記挿管が当接する部分に前記挿管が滑らないための第二の滑止部材を備えたことを特徴とする。
【００１２】
請求項７記載の発明は、請求項１から請求項６のいずれか１つに記載の挿管ホルダにおいて、前記面基板は、前記面基板の前記載置台を取り付けた部分が、前記身体の面との間で空間を作るべく、前記身体の面から飛び出した形状であることを特徴とする。
【００１３】
請求項８記載の発明は、請求項１から請求項７のいずれか１つに記載の挿管ホルダにおいて、前記面基板は、前記面基板の板面の表裏を貫く穴を備えることを特徴とする。
【００１４】
請求項９記載の発明は、請求項１から請求項７のいずれか１つに記載の挿管ホルダにおいて、前記面基板は、板面の表裏を貫く穴の面積が大きくなるように、フレーム（枠）構成であることを特徴とする。
【００１５】
請求項１０記載の発明は、請求項１から請求項９のいずれか１つに記載の挿管ホルダにおいて、前記面基板は、バイトブロックを取り付けるためのバイトブロック取付け穴を備えたことを特徴とする。
【００１６】
請求項１１記載の発明は、請求項１から請求項９のいずれか１つに記載の挿管ホルダにおいて、前記面基板は、前記患者の身体に当たる側に、前記挿管が配置される位置の上下にバイトブロックとして使用する突起であるバイトブロック突起を備えたことを特徴とする。
【００１７】
請求項１２記載の発明は、請求項１から請求項１１のいずれか１つに記載の挿管ホルダにおいて、前記面基板は、透明な材料で構成されたことを特徴とする。
【００１８】
請求項１３記載の発明は、請求項１から請求項１２のいずれか１つに記載の挿管ホルダにおいて、前記面基板は、前記患者の身体に当たる側に、クッション材を備えたことを特徴とする。
【発明の効果】
【００１９】
以上の様に構成されているので、本発明による挿管ホルダは、簡単な構成であり安価に構成でき、かつ、固定がしっかりしていて、挿管の径のサイズにも自由に対応可能となっている。
【図面の簡単な説明】
【００２０】
【図１】本発明の挿管ホルダの一実施態様を示す図である。
【図２】本発明の挿管ホルダの他の実施態様を示す図である。
【図３】本発明の挿管ホルダの他の実施態様を示す図である。
【図４】本発明の挿管ホルダの他の実施態様を示す図である。
【図５】従来の発明及び提案を示す図である。
【発明を実施するための形態】
【００２１】
本発明による挿管ホルダは、気管等の挿管を患者の顔面、首、特に顔面に固定するものであり、顔面等の面に当てる面基板と挿管を載せる載置台と固定用帯と頭部や首に固定するための結び手段を備えて、以下に述べるように先行例に比べて極めて単純な構成としている。以下図に沿って説明する。
【００２２】
図１は、本発明の挿管ホルダの一実施態様を示す図である。
本発明による挿管ホルダ１００は、気管等の挿管を患者の顔面、首、特に顔面（特に口頭部）に固定するものであり、顔面等の面に当てる面基板１１０と挿管を載せる載置台１２０と固定用帯１３０と頭部や首に固定するための結び手段１４０を備えていて、面基板１１０は、挿管している人体の挿管開口（例えば口）を覆い隠すように幅と長さを持つ板又はフレーム体で、少なくとも、挿管状態で挿管の通過が可能なように面基板の端に開いた開口溝１１１を有し、面基板を患者の顔面、首に結ぶ結び手段を付設する結び手段結合部１１２を備え、
載置台１２０は、挿管の長さ方向に長さのある、挿管を載せる台であって、開口溝１１１の開いた周囲端とは反対の内側におかれ、開口溝に挿管を入れた場合に挿管が載置台の台面上に乗るように面基板に取りついており、
固定用帯１３０は、載置台１２０に乗った挿管を載置台１２０に固定するべく巻きつけるもので、挿管の長さ方向に幅を持つ帯であり、
結び手段１４０は、結び手段結合部に取り付ける紐、ベルトなどの頭部や首への結束するものである。
【００２３】
１−Ａには、固定用帯１３０として、結束バンド１３０Ａと、載置台１２０にそのための保持穴を備えた例を、１−Ｂには、固定用帯１３０として、接着テープ１３０Ｂを備えた例を示す。
先ず、１−Ａにおいて、載置台１２０には、結束バンド１３０Ａを取り付けるバンド取付け部１３１があり、この図の例では、挿管が乗せられる位置を挟むように開けられた穴となっているが、穴にこだわらず、結束バンド１３０Ａが載置台１２０に結束できればよい。この図の例でみると、結束バンド１３０Ａは、バンド取付け部１３１である穴の下から通されていている。通常の市販品を使う場合は、結束バンド１３０Ａは、バンドを通し、締めるための締結ヘッドを持っている。結束バンド１３０Ａの結束の構造は、市販品でよく知られているので、説明を要しないであろう。
締結ヘッドは、載置台１２０の他方の穴に結束バンド１３０Ａを通した時に、締結ヘッドの穴にすんなりと入るように、締結ヘッドの穴と載置台１２０の他方の穴を位置合わせして取り付けることが望ましい。勿論、結束バンド１３０Ａの一方の端を載置台１２０に接着してしまい、締結ヘッド代わりになるように、載置台の他方の穴を構成してもよい。
図の例では、挿管が入る位置の載置台１２０上には、凹溝１２１を備え、更に凹溝１２１の表面にはゴム等の摩擦の大きい第一の滑止部材１２２が備えられ、一方、結束バンド１３０Ａのバンドを覆うようにゴム等の摩擦の大きい第二の滑止部材１２３が備えられている。そのため、挿管を載置台１２０上にセットして、結束バンド１３０Ａのバンドをバンド取付け部１３１である他方の穴に入れて、締結ヘッドに通し、締め上げると、挿管は、帯幅にわたって、結束バンド１３０Ａのバンドと載置台１２０上の凹溝１２１の間で、しかも、第一の滑止部材１２２と第二の滑止部材を介して、強固に固定され、滑ったり回転したりすることはない。
【００２４】
１−Ｂでは、１−Ｂには、固定用帯１３０として、接着テープ１３０Ｂを備えた例を示す。
接着テープ１３０Ｂの一方の端は、載置台１２０に強固に接着されて、剥離紙１３１等で使用前には接着しないようになっている。挿管を載置台１２０上にセットしたら、剥離紙１３１を剥がし、挿管毎載置台１２０に接着テープ１３０Ｂを巻きつければ固定が達成される。凹溝１２１の表面にはゴム等の摩擦の大きい第一の滑止部材１２２が備えられてもよい。
両者の例のように、面基板に取りついた載置台と固定用帯という簡単な構成であり、更に固定が帯を引くという簡単な操作でできる。
【００２５】
図２は、本発明の挿管ホルダの他の実施態様を示す図である。
２−Ａでは、１−Ａとの違いは、面基板１１０を口を覆うように顔面や、首に取り付ける場合は、顔面や首の曲面に合うように曲面をもって構成していることにある。但し、面基板１１０の載置台１２０を取り付けた部分は、顔面や首の曲面から飛び出してはいない。
２−Ｂでは、面基板１１０の載置台１２０を取り付けた部分は、顔面や首の曲面から飛び出している例であり、従って、面基板１１０の載置台１２０を取り付けた部分と顔面や首の曲面との間に空間ができ、面基板１１０の開口部１５０からは、挿管と顔面や首の挿管挿入部がよく見える。このことは、挿管挿入部が口の場合は、口腔ケアがよくできることになる。開口部１５０を大きくすることが望ましく、そのためには、面基板１１０を２−Ｂの図のようにフレーム（枠組み）構成にするとよい。
２−Ａ、２−Ｂとも図の下側には、上から見た状態を示すが、載置台１２０を取り付けた部分の飛び出しがあるかないかの状況を示している。
【００２６】
図３は、本発明の挿管ホルダの他の実施態様を示す図である。ここでは、図１の１−Ａとの違いは、面基板１１０に載置台１２０に近づけてバイトブロック３０１を挿入して取り付けるバイトブロック挿入穴３０２を持っているものである。バイトブロック３０１は、市販品を使用できる。３−Ａには、バイトブロック３０１の挿入前、３−Ｂには、挿入後の状態を示している。
【００２７】
図４は、本発明の挿管ホルダの他の実施態様を示す図である。４−Ａでは、図１の１−Ａと同じように見えるが、４−Ｂには、裏側から見た図になっており、挿管が位置する高さの上と下に突起を備えており、口に入れたときには、歯がこれに当たり、挿管を噛むことはできない状態となる。すなわち、突起はバイトブロック用突起４０１となっている。
【００２８】
尚、全ての例に共通して、言えることを以下にまとめる。
以上では、図２から図４に渡り、図１の１−Ａのものの変更例を示したが、１−Ｂのものについても同じように変更が可能であることは当然である。
面基板１１０は、口を覆うように顔面や、首に取り付ける場合は、顔面や首の曲面に合うように曲面をもって構成することが好ましく、この例として図２の２−Ａ、２−Ｂに示した。
又、面基板１１０の裏側には、患者等の肌に接触するのであるから、スポンジ、低反発樹脂などのクッション材を備えるのがよい。
尚、面基板１１０は、透明の材料で構成すると、取付け部が見えて好ましい。又、開口穴１５０があると、ここからブラシを操作するなど口腔ケア等に好都合である。
そして、面基板１１０の開口部１５０は、口腔ケアの観点からは大きい方が望ましく、そのため、フレーム（枠組み）構成が望ましい。
尚、図２以下は、結び手段１４０の図示を省略して示した。
面基板と載置台は、後から結合してもよいし、最初から一体構成でも構わない。面基板とバイトブロックの結合も同様のことがいえる。
載置台１２０上には、凹溝１２１がある場合を示したが、なくて平坦な場合も可能である。
尚、接着テープの用語は、ここでは、請求の範囲の記述も含めて、粘着テープと区別せず、互いを含む内容で使用している。
【産業上の利用可能性】
【００２９】
以上のように本発明による挿管ホルダは、簡単な構成で実現でき、固定がしっかりしていて、挿管の径のサイズにも自由に対応できるため、産業上利用して極めて好都合である。
【符号の説明】
【００３０】
１００  挿管ホルダ
１１０  面基板
１１１  開口溝
１１２  結び手段結合部
１２０  載置台
１２１  凹溝
１２２  第一の滑止部材
１２３  第二の滑止部材
１３０  固定用帯
１３０Ａ  結束バンド
１３０Ｂ  接着テープ
１４０  結び手段
１５０  開口部
３０１  バイトブロック
３０２  バイトブロック挿入穴
４０１  バイトブロック用突起
【図１】
2017079894.tif 000003
【図２】
2017079894.tif 000004
【図３】
2017079894.tif 000005
【図４】
2017079894.tif 000006
【図５】
2017079894.tif 000007